(57)【特許請求の範囲】
【請求項１】
所定の無線信号を送信する携帯機と、その携帯機との相互通信に基づいて錠の施解錠を制御する通信制御装置とを備える施解錠制御装置であって、
前記通信制御装置は、前記無線信号の送信を要求するリクエスト信号を周辺の所定領域に間欠的に出力させるとともに、前記無線信号の非受信状態にあるときには、第１間欠周期でリクエスト信号を出力させ、前記無線信号の非受信状態から受信状態に変化したときには、リクエスト信号が到達している領域内における携帯機の有無を判定する期間である所定の期間に亘って、第１間欠周期よりも短く設定された第２間欠周期で同リクエスト信号を出力させ、その後、第１間欠周期でのリクエスト信号の出力に戻し、さらに、前記無線信号の受信状態から非受信状態に変化したときには、前記所定の期間に亘って、第２間欠周期で同リクエスト信号を出力させ、その後、第１間欠周期でのリクエスト信号の出力に戻し、その第２間欠周期で出力されたリクエスト信号に応答して送信された前記携帯機からの無線信号を受信したときに錠を解錠させ、該無線信号を受信できないときに前記錠を施錠させる錠制御手段を備えることを特徴とする施解錠制御装置。
【請求項２】
前記錠制御手段は、前記リクエスト信号を前記第２間欠周期で出力させる際には、同第２間欠周期のリクエスト信号を連続的に複数回出力させ、それら第２間欠周期で出力されたリクエスト信号に応答して送信された前記携帯機からの無線信号を全て受信したか全て受信できなかったかに基づいて前記錠を施解錠させることを特徴とする請求項１に記載の施解錠制御装置。
【請求項３】
所有者によって所持される携帯機に対して無線信号の送信を要求するリクエスト信号を周辺の所定領域に間欠的に出力させるとともに、前記無線信号の非受信状態にあるときには、第１間欠周期でリクエスト信号を出力させ、前記無線信号の非受信状態から受信状態に変化したときには、リクエスト信号が到達している領域内における携帯機の有無を判定する期間である所定の期間に亘って、第１間欠周期よりも短く設定された第２間欠周期で同リクエスト信号を出力させ、その後、第１間欠周期でのリクエスト信号の出力に戻し、さらに、前記無線信号の受信状態から非受信状態に変化したときには、前記所定の期間に亘って、第２間欠周期で同リクエスト信号を出力させ、その後、第１間欠周期でのリクエスト信号の出力に戻し、その第２間欠周期で出力されたリクエスト信号に応答して送信された前記携帯機からの無線信号を受信したときに錠を解錠させ、該無線信号を受信できないときに前記錠を施錠させる錠制御手段を備えることを特徴とする施解錠制御装置における通信制御装置。
【請求項４】
前記錠制御手段は、前記リクエスト信号を前記第２間欠周期で出力させる際には、同第２間欠周期のリクエスト信号を連続的に複数回出力させ、それら第２間欠周期で出力されたリクエスト信号に応答して送信された前記携帯機からの無線信号を全て受信したか全て受信できなかったかに基づいて前記錠を施解錠させることを特徴とする請求項３に記載の施解錠制御装置における通信制御装置。
【請求項５】
請求項１若しくは請求項２に記載の施解錠制御装置、または、請求項３若しくは請求項４に記載の通信制御装置を備えたことを特徴とする建具。
【発明の詳細な説明】
【０００１】
【発明の属する技術分野】
本発明は、施解錠制御装置、該施解錠制御装置における通信制御装置及び建具に係り、詳しくは、機械鍵を用いることなく錠を施解錠する装置に関するものである。
【０００２】
【従来の技術】
一般に、住宅等の建物や車両などのドア錠は、ドアに設けられた鍵穴に機械的なキーを挿入して回動することにより、施錠・解錠されるようになっている。
【０００３】
しかし近年では、セキュリティの向上や操作性の向上を目的に、ＩＤコードを用いた電子制御によるドア錠の施解錠制御装置が提案されている。そして、この種の施解錠制御装置として、スマートキーシステムが提案されている。
【０００４】
このスマートキーシステムは、所有者（家人・運転者など）によって所持される携帯機と、ドア錠の近辺に設けられた通信制御装置とから構成されている。そして、携帯機と通信制御装置との相互通信に基づき、所有者がドアに近づいたときにドア錠が自動的に解錠され、所有者がドアから遠ざかったときにドア錠が自動的に施錠されるようになっている。
【０００５】
詳しくは、例えば図６に示すスマートキーシステム５１では、通信制御装置５２からドア５４周辺の所定領域Ａに対してリクエスト信号が出力される。このリクエスト信号は、図７に示すように、所定の間欠周期Ｔ１毎に常時出力される。そして、同図にポイントＰ１で示すように所定領域Ａ内に携帯機５３が侵入してリクエスト信号を受信すると、ポイントＰ２で示すように携帯機５３はリクエスト信号に応答して所定のＩＤコードを含むＩＤコード信号を出力する。通信制御装置５２は、このＩＤコード信号を受信すると、同ＩＤコード信号に含まれるＩＤコードと自身に予め設定されたＩＤコードとの比較（ＩＤコード照合）を行う。そして、それらＩＤコード同士が一致した場合、通信制御装置５２は、ポイントＰ２で示すように検出状態となってドア錠を解錠させる。また、通信制御装置５２は、携帯機５３が領域Ａから離間してＩＤコード信号を受信できなくなると、ポイントＰ３で示すように非検出状態となってドア錠を施錠させる。
【０００６】
このため、所有者は、何ら操作を行うことなくドア錠の施解錠を行うことができる。また、ＩＤコード照合によってドア錠の施解錠が行われるため、セキュリティも向上する。
【０００７】
【発明が解決しようとする課題】
ところで、例えば図６に示したリクエスト信号の出力領域Ａの出力限界箇所（同図における破線箇所近辺）に所有者が位置した状態では、所有者の若干の移動によって該領域Ａの内外を行き来する場合がある。すなわち、図７にポイントＰ４，Ｐ６で示すように携帯機５３が出力領域Ａ内に僅かな時間だけ侵入した場合である。こうした場合であっても、ポイントＰ５で示すように携帯機５３がリクエスト信号を受信してＩＤコード信号を出力すると、通信制御装置５２は検出状態となってドア錠を解錠させる。そして、ポイントＰ７で示す時点において通信制御装置５２はＩＤコード信号を受信できなくなるため、非検出状態となってドア錠を再び施錠させる。よって、短時間の間にドア錠の施解錠が繰り返されてしまう。つまり、従来のスマートキーシステム５１では、所有者の若干の移動に伴ってドア錠の施解錠を繰り返すようになる。このため、該出力限界箇所で所有者が立ち話などをしている場合には、所有者の意思に反してドア錠が頻繁に施解錠を繰り返してしまい、所有者に違和感を覚えさせてしまうこととなる。
【０００８】
本発明はこうした実情に鑑みてなされたものであり、その目的は、所有者の意思に反した錠の施解錠動作を防止することができる施解錠制御装置、該施解錠制御装置における通信制御装置及び建具を提供することにある。
【０００９】
【課題を解決するための手段】
上記の課題を解決するために、請求項１に記載の発明では、所定の無線信号を送信する携帯機と、その携帯機との相互通信に基づいて錠の施解錠を制御する通信制御装置とを備える施解錠制御装置であって、前記通信制御装置は、前記無線信号の送信を要求するリクエスト信号を周辺の所定領域に間欠的に出力させるとともに、前記無線信号の非受信状態にあるときには、第１間欠周期でリクエスト信号を出力させ、前記無線信号の非受信状態から受信状態に変化したときには、リクエスト信号が到達している領域内における携帯機の有無を判定する期間である所定の期間に亘って、第１間欠周期よりも短く設定された第２間欠周期で同リクエスト信号を出力させ、その後、第１間欠周期でのリクエスト信号の出力に戻し、さらに、前記無線信号の受信状態から非受信状態に変化したときには、前記所定の期間に亘って、第２間欠周期で同リクエスト信号を出力させ、その後、第１間欠周期でのリクエスト信号の出力に戻し、その第２間欠周期で出力されたリクエスト信号に応答して送信された前記携帯機からの無線信号を受信したときに錠を解錠させ、該無線信号を受信できないときに前記錠を施錠させる錠制御手段を備えることを要旨とする。
【００１０】
請求項２に記載の発明では、請求項１に記載の施解錠制御装置において、前記錠制御手段は、前記リクエスト信号を前記第２間欠周期で出力させる際には、同第２間欠周期のリクエスト信号を連続的に複数回出力させ、それら第２間欠周期で出力されたリクエスト信号に応答して送信された前記携帯機からの無線信号を全て受信したか全て受信できなかったかに基づいて前記錠の施解錠を行わせることを要旨とする。
【００１１】
請求項３に記載の発明では、所有者によって所持される携帯機に対して無線信号の送信を要求するリクエスト信号を周辺の所定領域に間欠的に出力させるとともに、前記無線信号の非受信状態にあるときには、第１間欠周期でリクエスト信号を出力させ、前記無線信号の非受信状態から受信状態に変化したときには、リクエスト信号が到達している領域内における携帯機の有無を判定する期間である所定の期間に亘って、第１間欠周期よりも短く設定された第２間欠周期で同リクエスト信号を出力させ、その後、第１間欠周期でのリクエスト信号の出力に戻し、さらに、前記無線信号の受信状態から非受信状態に変化したときには、前記所定の期間に亘って、第２間欠周期で同リクエスト信号を出力させ、その後、第１間欠周期でのリクエスト信号の出力に戻し、その第２間欠周期で出力されたリクエスト信号に応答して送信された前記携帯機からの無線信号を受信したときに錠を解錠させ、該無線信号を受信できないときに前記錠を施錠させる錠制御手段を備えることを要旨とする。
請求項４に記載の発明では、請求項３に記載の施解錠制御装置における通信制御装置において、前記錠制御手段は、前記リクエスト信号を前記第２間欠周期で出力させる際には、同第２間欠周期のリクエスト信号を連続的に複数回出力させ、それら第２間欠周期で出力されたリクエスト信号に応答して送信された前記携帯機からの無線信号を全て受信したか全て受信できなかったかに基づいて前記錠を施解錠させることを要旨とする。
【００１２】
請求項５に記載の発明では、請求項１若しくは請求項２に記載の施解錠制御装置、または、請求項３若しくは請求項４に記載の通信制御装置を備えた建具であることを要旨とする。
【００１３】
以下、本発明の「作用」について説明する。
請求項１〜５に記載の発明によると、錠制御手段は、無線信号の非受信状態から受信状態に変化したときには、第２間欠周期で出力したリクエスト信号に応答した携帯機からの無線信号を受信しないと錠を解錠させない。また、錠制御手段は、無線信号の受信状態から非受信状態に変化したときには、第２間欠周期で出力したリクエスト信号に応答した携帯機からの無線信号を受信できない場合でないと錠を施錠させない。このため、携帯機が僅かな時間だけリクエスト信号の出力領域に侵入・離間した場合、錠の施解錠は行われない。すなわち、リクエスト信号の出力領域の出力限界箇所近辺に所有者が位置し、若干の移動によって該領域の内外を短時間行き来した場合には、錠の施解錠は行われない。よって、該出力限界箇所で所有者が立ち話などをしている際に、所有者の意思に反して錠が頻繁に施解錠を繰り返してしまうといった不都合が防止される。
【００１４】
請求項２又は請求項４に記載の発明によると、錠制御手段は、携帯機との相互通信状態を確実に把握することができ、その確実に把握した状態に基づいて錠を施解錠させることができるようになる。
【００１５】
【発明の実施の形態】
以下、本発明を住宅用ドア錠の施解錠制御装置に具体化した一実施形態を図１〜図５に基づき詳細に説明する。
【００１６】
図１に示すように、住宅用施解錠制御装置１は、住宅２の所有者（家人）に所持される携帯機１１と、住宅２のドア３内に配設され、携帯機１１と相互通信可能な通信制御装置１２とを備えている。
【００１７】
図２及び図３に併せ示すように、ドア３には、屋外側に露出する屋外アンテナ部４と、屋内側に露出する屋内アンテナ部５が配設されている。これらアンテナ部４，５には、それぞれＬＥＤ等からなる表示部６が形成されている。
【００１８】
屋外アンテナ部４の内部には、図３に示す送信アンテナ４ａと受信アンテナ４ｂとが配設されている。また、屋内アンテナ部５の内部には図３に示す送信アンテナ５ａと受信アンテナ５ｂとが配設されている。
【００１９】
なお、本実施形態において、送信アンテナ４ａ，５ａは１３４ｋＨｚの電波を送信可能に設定され、受信アンテナ４ｂ，５ｂは３００ＭＨｚの電波を受信可能に設定されている。
【００２０】
また、ドア３には２つのドア錠７，８が形成されており、同ドア３の屋内側面には、これらドア錠７，８を手動で施解錠可能な手動ロック機構７ａ，８ａが形成されている。これら手動ロック機構７ａ，８ａは、一般的な屋内側施解錠用つまみである。
【００２１】
図３に示すように、携帯機１１は、受信回路１３、マイクロコンピュータ（マイコン）１４、送信回路１５、及び入力回路１６を備えている。
受信回路１３は、後記する通信制御装置１２からのリクエスト信号を受信して、その信号をマイコン１４に入力するための回路である。マイコン１４は、受信回路１３からのリクエスト信号が入力されたときに、予め設定された所定のＩＤコードを含む無線信号（ＩＤコード信号）を出力するための回路である。送信回路１５は、そのＩＤコード信号を所定周波数（ここでは３００ＭＨｚ）の電波に変調して外部に送信するための回路である。受信回路１３には受信アンテナ１７ａが接続され、送信回路１５には送信アンテナ１７ｂがそれぞれ接続されている。入力回路１６は、操作ボタン等からなり、家人のボタン操作によって入力された手動操作信号をマイコン１４に入力するための回路である。
【００２２】
一方、図３に示すように、通信制御装置１２は、リクエスト信号出力手段としての送信回路２１、受信回路２２、及び錠制御手段としてのマイクロコンピュータ（マイコン）２３を備えている。
【００２３】
送信回路２１には送信アンテナ４ａ，５ａが接続され、受信回路２２には受信アンテナ４ｂ，５ｂが接続されている。
送信回路２１は、マイコン２３から出力されるリクエスト信号を所定周波数（ここでは１３４ｋＨｚ）の電波に変換し、送信アンテナ４ａ，５ａを介して出力するための回路である。したがって、図２に示すように、リクエスト信号は、屋外側送信アンテナ４ａ及び屋内側送信アンテナ５ａを介して、屋外側及び屋内側におけるドア３の周辺の所定領域Ａ１に出力される。よって、この所定領域Ａ１において携帯機１１と通信制御装置１２との相互通信が可能となる。
【００２４】
受信回路２２は、携帯機１１から出力されたＩＤコード信号を受信アンテナ４ｂ，５ｂを介して受信し、そのＩＤコード信号をパルス信号に復調して受信信号を生成するとともに、その受信信号をマイコン２３へ出力するための回路である。
【００２５】
マイコン２３には、表示部６、ドア錠７，８、及び手動ロック機構７ａ，８ａが電気的に接続されている。このマイコン２３は、具体的には図示しないＣＰＵ、ＲＯＭ、ＲＡＭからなるＣＰＵユニットであり、送信回路２１に対して前記リクエスト信号を間欠的に出力する。また、マイコン２３には予め設定された所定のＩＤコードが記憶されており、マイコン２３は、前記受信信号が入力されたときに自身のＩＤコードと受信信号に含まれるＩＤコードとを比較する。そして、マイコン２３は、それらＩＤコードが一致したときに、ドア錠７，８に対して駆動信号を出力する。さらに、マイコン２３には、手動ロック機構７ａ，８ａの操作状態が入力されるようになっている。
【００２６】
次に、このように構成された住宅用施解錠制御装置１によるドア錠７，８の施解錠動作を、図４に従って説明する。
施解錠制御装置１の動作時には、まず、通信制御装置１２の送信アンテナ４ａ，５ａから前記所定領域Ａ１に対して、リクエスト信号が間欠的に出力される。図４に示すように、リクエスト信号は、通常、周期Ｔ１に設定された第１間欠周期で出力される。なお、本実施形態において周期Ｔ１は、約０．６秒に設定されている。
【００２７】
同図にポイントＰ１で示すように携帯機１１が所定領域Ａ１内に侵入すると、携帯機１１は、ポイントＰ２で示すようにリクエスト信号を受信してＩＤコード信号を自動送信する。すなわち、携帯機１１を所持する家人がドア３に近づいたときに、携帯機１１からＩＤコード信号が送信される。携帯機１１は、通常、リクエスト信号を受信するためのスタンバイモードとなっており、該リクエスト信号の受信時にのみＩＤコード信号を送信するようになっている。
【００２８】
通信制御装置１２がこのＩＤコード信号を受信すると、マイコン２３は、すぐに検出状態とはならず、前記第１間欠周期よりも短い周期Ｔ２に設定された第２間欠周期でリクエスト信号を複数回（ここでは２回）出力させる。すなわち、マイコン２３は、ＩＤコード信号の非受信状態から受信状態に変化したときには、リクエスト信号の間欠周期を第１間欠周期から第２間欠周期に変更し、その第２間欠周期でリクエスト信号を複数回出力させる。なお、マイコン２３は、第２間欠周期でリクエスト信号を複数回出力させた後は、再び第１間欠周期でリクエスト信号を出力させる。そして、ポイントＰ３で示すように、マイコン２３は、これら第２間欠周期で出力されたリクエスト信号に応答した携帯機１１からのＩＤコード信号を全て受信したときに検出状態となり、ドア錠７，８を解錠させる。このため、ドア錠７，８は、家人がドア３に近づくだけで自動的に解錠される。
【００２９】
なお、本実施形態において周期Ｔ２は、約０．２秒に設定されている。すなわち、第２間欠周期は第１間欠周期の約１／３程度に設定されている。よって、本実施形態において携帯機１１が所定領域Ａ１内に侵入してからドア錠７，８が解錠され始めるまでの時間（タイムラグ）Δｔ１は、最大で１．０秒（約０．６秒＋約０．２秒＋約０．２秒）程度となる。
【００３０】
一方、同図にポイントＰ４で示すようにドア錠７，８の解錠後に携帯機１１が所定領域Ａ１から離間すると、ポイントＰ５に示すように、携帯機１１は、リクエスト信号を受信できなくなるためＩＤコード信号を送信しなくなる。よって、通信制御装置１２はＩＤコード信号を受信できなくなる。この場合、マイコン２３は、すぐに非検出状態とはならず、前記第２間欠周期でリクエスト信号を複数回（ここでは２回）出力させる。すなわち、マイコン２３は、ＩＤコード信号の受信状態から非受信状態に変化したときにおいても、リクエスト信号の間欠周期を第１間欠周期から第２間欠周期に変更し、その第２間欠周期でリクエスト信号を複数回出力させる。なお、マイコン２３は、第２間欠周期でリクエスト信号を複数回出力させた後は、再び第１間欠周期でリクエスト信号を出力させる。そして、ポイントＰ６で示すように、マイコン２３は、これら第２間欠周期で出力された全てのリクエスト信号に応答した携帯機１１からのＩＤコード信号を受信できないときに非検出状態となり、ドア錠７，８を施錠させる。よって、ドア錠７，８は、家人がドア３から離間するだけで自動的に施錠される。なお、本実施形態において携帯機１１が所定領域Ａ１から離間してからドア錠７，８が施錠され始めるまでの時間（タイムラグ）Δｔ２も、前記時間Δｔ１と同様に最大で１．０秒程度となる。
【００３１】
したがって、こうした住宅用施解錠制御装置１によれば、ドア錠７，８を一切の操作を行うことなく施解錠することができる。
また、マイコン２３は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠７，８の解錠時には一方のＬＥＤを点灯させ、ドア錠７，８の施錠時には他方のＬＥＤを点灯させるようになっている。
【００３２】
ところで、例えば図２に示したリクエスト信号の出力領域Ａ１の出力限界箇所（同図における２点鎖線箇所近辺）に所有者が位置した状態では、所有者の若干の移動によって該領域Ａ１の内外を行き来する場合がある。すなわち、図４にポイントＰ７，Ｐ９で示すように携帯機１１が出力領域Ａ１内に僅かな時間だけ侵入した場合である。そして、ポイントＰ８で示すように、こうした僅かな時間内に携帯機１１からのＩＤコード信号を通信制御装置１２が受信すると、マイコン２３は第２間欠周期でリクエスト信号を出力させる。しかし、ポイントＰ１０で示すように、マイコン２３は、それらリクエスト信号に応答したＩＤコード信号の全てを受信できないため検出状態とはならず、ドア錠７，８を解錠させない。このため、該リクエスト信号の出力限界箇所で所有者が若干の移動を行っても、ドア錠７，８の施解錠が繰り返されてしまうことはない。
【００３３】
したがって、本実施形態によれば以下のような効果を得ることができる。
（１）通信制御装置１２は、携帯機１１からのＩＤコード信号を連続的に複数回受信したときにのみドア錠７，８を解錠させ、該ＩＤコード信号を連続的に複数回受信できなくなったときのみドア錠７，８を施錠させる。このため、通信制御装置１２は、リクエスト信号の出力領域Ａ１の内外に所定時間以上存在しているときにのみドア錠７，８の施解錠を行うこととなる。よって、携帯機１１が僅かな時間だけリクエスト信号の出力領域Ａ１に侵入・離間した場合、通信制御装置１２はドア錠７，８の施解錠を行わない。すなわち、該出力領域Ａ１の出力限界箇所近辺に家人が位置し、若干の移動によって該出力領域Ａ１の内外を短時間行き来した場合には、ドア錠７，８の施解錠は行われない。よって、該出力限界箇所で家人が立ち話などをしている際に、家人の意思に反してドア錠７，８が頻繁に施解錠を繰り返してしまうといった不都合を防止することができる。
【００３４】
（２）通信制御装置１２は、通常第１間欠周期（周期Ｔ１）でリクエスト信号を出力する。そして、ＩＤコード信号の非受信状態から受信状態に変化したとき、及びＩＤコード信号の受信状態から非受信状態に変化したときには、周期Ｔ１よりも短い周期Ｔ２に設定された第２間欠周期でリクエスト信号を出力する。このため、携帯機１１がリクエスト信号の出力領域Ａ１内に侵入してからドア錠７，８が解錠されるまでの時間（タイムラグΔｔ１）、及び該出力領域Ａ１を離れてからドア錠７，８が施錠されるまでの時間（タイムラグΔｔ２）を短くすることができる。よって、家人がドア３を開こうとしたときにドア錠７，８が未だ解錠されていなかったり、家人がドア３から離れてかなり時間が経たないとドア錠７，８が施錠されないといった不都合を防止することができる。
【００３５】
ちなみに、例えば図５に示すように、リクエスト信号を常に第１間欠周期（周期Ｔ１）で出力されるようになっていた場合、前記タイムラグΔｔ１，Δｔ２は、最大で１．８秒程度となってしまい、上記不都合が生じてしまう。
【００３６】
（３）通信制御装置１２は、ＩＤコード信号の非受信状態から受信状態に変化したとき、及びＩＤコード信号の受信状態から非受信状態に変化したときには、第２間欠周期のリクエスト信号を複数回（２回）出力するようになっている。そして、通信制御装置１２は、それら第２間欠周期のリクエスト信号に応答したＩＤコード信号を全て受信するか全て受信できないかに基づいて、ドア錠７，８を施解錠させるようになっている。このため、通信制御装置１２は、携帯機１１との相互通信状態を確実に把握することができ、その確実に把握した状態に基づいてドア錠７，８を施解錠させることができる。換言すれば、通信制御装置１２が携帯機１１との曖昧な相互通信状態に基づいてドア錠７，８を施解錠させてしまうのを防止することができる。
【００３７】
なお、本発明の実施形態は以下のように変更してもよい。
・  前記実施形態において通信制御装置１２は、ＩＤコード信号の非受信状態から受信状態に変化したとき、及びＩＤコード信号の受信状態から非受信状態に変化したときには、第２間欠周期のリクエスト信号を２回出力するようになっている。しかし、第２間欠周期のリクエスト信号は、２回に限らず３回以上出力されるようになっていてもよい。そして、通信制御装置１２は、それら第２間欠周期で出力されたリクエスト信号に応答したＩＤコード信号を全て受信したときにドア錠７，８を解錠させ、該ＩＤコード信号を全て受信できなかったときにドア錠７，８を施錠させるようになっていてもよい。
【００３８】
また、第２間欠周期のリクエスト信号は、複数回に限らず、１回のみ出力されるようになっていてもよい。このようにすれば、前記タイムラグΔｔ１，Δｔ２をより短くすることができる。
【００３９】
但し、家人の意思に反したドア錠７，８の施解錠の防止と、タイムラグΔｔ１，Δｔ２の短縮化とを両立させるためには、第２間欠周期でのリクエスト信号の出力回数を２〜４回程度に設定することがより望ましい。
【００４０】
・  前記実施形態において、リクエスト信号の第１間欠周期Ｔ１は約０．６秒、第２間欠周期Ｔ２は約０．２秒にそれぞれ設定されている。しかし、これら周期Ｔ１，Ｔ２は、これに限らず、前記タイムラグΔｔ１，Δｔ２の最大値が約１．２秒内となるのであれば、どのように変更してもよい。
【００４１】
・  前記実施形態において携帯機１１は、リクエスト信号を受信したときには無条件でＩＤコード信号を出力するようになっている。しかし、携帯機１１は、第２間欠周期のリクエスト信号を受信したときには、すぐにＩＤコード信号を出力せず、同第２間欠周期のリクエスト信号を複数回連続的に受信したときにＩＤコード信号を送信するようにしてもよい。そして、通信制御装置１２は、そのＩＤコード信号を受信したときにドア錠７，８を解錠させるようにしてもよい。このようにすれば、携帯機１１の電力消費量を低減させることができる。
【００４２】
・  前記実施形態では、ドア３に２つのドア錠７，８が設けられている。しかし、ドア錠７，８は、２つに限らず、１つのみであってもよい。また、３つ以上のドア錠としてもよい。
【００４３】
・  手動ロック機構７ａ，８ａを省略してもよい。このようにしても、自動施解錠動作によって、ドア錠７，８を施解錠させることができる。
・  表示部６を省略してもよい。
【００４４】
・  通信制御装置１２は、ドア３内に限らず、ドア３の近辺に配設されてもよい。
・  前記実施形態では、リクエスト信号を電波として出力している。しかし、リクエスト信号は、第１及び第２領域Ａ１，Ａ２に出力される磁界であってもよい。
【００４５】
・  施解錠制御装置１を、住宅用に限らず、店舗や事務所等の建物用ドア錠の施解錠制御装置として具体化してもよい。また、施解錠制御装置１を車両用ドア錠の施解錠制御装置として具体化してもよい。
【００４６】
・  前記実施形態において施解錠制御装置１は、ドア錠の施解錠を行うようになっている。しかし、施解錠制御装置１は、ドア錠に限らず、例えば窓や引き戸など、各種建具（門扉も含む）の錠の施解錠を行うようになっていてもよい。
【００４７】
次に、特許請求の範囲に記載された技術的思想のほかに、前述した実施形態によって把握される技術的思想を以下に列挙する。
（１）  所定の無線信号を送信する携帯機と、その携帯機との相互通信に基づいてドア錠の施解錠を制御する通信制御装置とを備える施解錠制御装置であって、前記通信制御装置は、前記無線信号の送信を要求するリクエスト信号を周辺の所定領域に間欠的に出力させるとともに、前記無線信号の非受信状態から受信状態に変化したとき、及び前記無線信号の受信状態から非受信状態に変化したときには、それ以外の状態におけるリクエスト信号の第１間欠周期よりも短く設定された第２間欠周期で同リクエスト信号を複数回出力させ、それら第２間欠周期で出力されたリクエスト信号に応答して送信された前記携帯機からの無線信号を全て受信できないときに前記錠を施錠させる錠制御手段を備え、前記携帯機は、それら第２間欠周期で出力されたリクエスト信号を複数回連続的に受信したときにＩＤコード信号を送信し、前記錠制御手段は、前記第２間欠周期のリクエスト信号に応答した無線信号を受信したときに前記錠を解錠させること。この技術的思想（１）に記載の発明によれば、携帯機の電力消費量を低減することができる。
【００４８】
【発明の効果】
以上詳述したように、請求項１〜５に記載の発明によれば、所有者の意思に反した錠の施解錠動作を防止することができる。
【００４９】
請求項２又は請求項４に記載の発明によれば、通信制御装置に、携帯機との相互通信状態を確実に把握させることができ、その確実に把握した状態に基づいて錠を施解錠させることができる。
【図面の簡単な説明】
【図１】本発明を住宅用ドア錠の施解錠制御装置に具体化した一実施形態の概略斜視図。
【図２】同実施形態に用いられるドアの概略側面図。
【図３】同実施形態の施解錠制御装置の概略構成を示すブロック図。
【図４】同実施形態の施解錠制御装置によるドア錠の施解錠タイミングを示すタイムチャート。
【図５】同実施形態の施解錠制御装置の比較例におけるドア錠の施解錠タイミングを示すタイムチャート。
【図６】従来の住宅用ドア錠の施解錠制御装置が設置されたドアの概略平面図。
【図７】従来の施解錠装置によるドア錠の施解錠タイミングを示すタイムチャート。
【符号の説明】
１…施解錠制御装置、２…住宅、３…建具としてのドア、４，５…アンテナ部、７，８…ドア錠、１１…携帯機、１２…通信制御装置、２３…錠制御手段としてのマイクロコンピュータ（マイコン）。
【図１】
0004092114.tif 000002
【図２】
0004092114.tif 000003
【図３】
0004092114.tif 000004
【図４】
0004092114.tif 000005
【図５】
0004092114.tif 000006
【図６】
0004092114.tif 000007
【図７】
0004092114.tif 000008